(57)【特許請求の範囲】
【請求項１】
記憶媒体を含み、所定のパターンが印刷された被記録媒体と字消装置とを備えるデータ消去システムであって、
前記字消装置は、
前記被記録媒体上に筆記された所定の筆記データを消去する字消手段と、
前記所定のパターン上で、前記字消手段により前記筆記データの消去が行われていることを認識する認識手段と、
前記認識手段により前記筆記データの消去が認識された場合、前記筆記データに対応する電子データを記憶する前記記憶媒体に対し、前記電子データの消去を行う消去手段と、
を備え、
前記被記録媒体は、
耐水性を有する基質と、
前記基質の少なくとも一方の面に、水又は水性液により溶解又は膨潤する未硬化水溶性高分子材料を含む中間層と、
前記基質側の面とは異なる前記中間層の面に、前記水又は水性液に対する通過性を有し、かつ、前記中間層の溶解又は膨潤により、崩壊又は前記中間層との接着状態が弛緩される受容層とを備え、
前記所定のパターンが、親水性を有する画像形成材料により、少なくとも前記受容層に形成可能であるデータ消去システム。
【請求項２】
前記所定のパターンは、所定間隔の格子状の上に配置された各ドットであり、各ドットは、格子状の交点から上下左右のいずれかの方向にずれている請求項１記載のデータ消去システム。
【発明の詳細な説明】
【技術分野】
【０００１】
本発明は、データ消去システムに関する。
【背景技術】
【０００２】
従来、コンピュータの高度化やネットワークの高速化に伴い、様々な書類の処理が電子化されている。一方で、ペンなどを使用して紙などへ筆記する方法は、キーボードやマウスを使ってコンピュータへ電子書類を入力する方法よりも安易であるという利点がある。
【０００３】
また、ペンなどで筆記した情報を電子化する技術がある。この技術は、例えば、被記録媒体に格子模様などのパターンを印刷し、ペン先に設けた光学装置を用いて該パターンを計測することで、このペンの動きを読み取ることができる。
【０００４】
特許文献１には、座標取得装置によって取得された紙文書の属性を参照して、情報が記入された紙文書に対応する電子文書へ反映する技術が開示されている。また、特許文献２には、情報表示媒体に対する加筆を電子化して編集する権限を特定可能にする技術が開示されている。
【０００５】
また、加筆する被記録媒体を再利用する技術もある。例えば、特許文献３には、リライタブルペーパーのクリーニングを行って再印字をする技術が開示されている。
【０００６】
ここで、電子化された書類と、電子化された筆記情報との関連付けが重要になってくる。例えば、特許文献４には、文書を特定する文書情報が磁気的に記録された磁気記録層と、筆記された情報が記録される熱可逆性記録層とを有する被記録媒体を用いて、筆記された情報の電子データと文書情報とを入力するデータ入力システムが開示されている。
【発明の概要】
【発明が解決しようとする課題】
【０００７】
従来技術では、筆記された情報と磁気記録層に記録された文書情報とをホストコンピュータで関連付け、ホストコンピュータで関連付けた情報の消去等の処理を行っていた。ホストコンピュータで情報の消去を行った場合、筆記された情報と記録された情報の整合性がとれなくなるという問題があった。また、被記録媒体に記載された筆記データが消去された場合でも、被記録媒体内部の記憶部に記憶されたデータとの整合性がとれないという問題点があった。
【０００８】
本発明は上記問題に鑑みてなされたものであり、情報の消去を行う場合に、筆記された情報と、被記録媒体内部の記憶部に記憶された、被記録媒体に筆記された情報の電子データとの整合性をとることができるデータ消去システムを提供することを目的とする。
【課題を解決するための手段】
【００１０】
本発明の一態様におけるデータ消去システムは、記憶媒体を含み、所定のパターンが印刷された被記録媒体と字消装置とを備えるデータ消去システムであって、前記字消装置は、前記被記録媒体上に筆記された所定の筆記データを消去する字消手段と、前記所定のパターン上で、前記字消手段により前記筆記データの消去が行われていることを認識する認識手段と、前記認識手段により前記筆記データの消去が認識された場合、前記筆記データに対応する電子データを記憶する前記記憶媒体に対し、前記電子データの消去を行う消去手段と、を備え、前記被記録媒体は、耐水性を有する基質と、前記基質の少なくとも一方の面に、水又は水性液により溶解又は膨潤する未硬化水溶性高分子材料を含む中間層と、前記基質側の面とは異なる前記中間層の面に、前記水又は水性液に対する通過性を有し、かつ、前記中間層の溶解又は膨潤により、崩壊又は前記中間層との接着状態が弛緩される受容層とを備え、前記所定のパターンが、親水性を有する画像形成材料により、少なくとも前記受容層に形成可能である。
【発明の効果】
【００１１】
本発明によれば、情報の消去を行う場合に、筆記された情報と、被記録媒体内部の記憶部に記憶された、被記録媒体に筆記された情報の電子データとの整合性をとることができる。
【図面の簡単な説明】
【００１２】
【図１】実施の形態における被記録媒体の一例を示す断面図。
【図２】実施の形態における被記録媒体の一例を示す図。
【図３】実施の形態におけるドットパターンの一例を示す図。
【図４】ドットパターンのずれを示す図。
【図５】図２の被記録媒体を用いて情報管理を行うシステムの一例を示す図。
【図６】筆記装置と字消装置の構成の一例を示すブロック図。
【図７】実施の形態における情報処理装置のハードウェアの一例を示すブロック図。
【図８】実施の形態における情報処理装置の機能の一例を示すブロック図。
【図９】各データの一例を示す図。
【図１０】画像消去装置の構成の一例を示す図。
【図１１】再生コーティング装置の構成の一例を示す図。
【図１２】画像形成、データ消去、画像消去、再生の一連の動作の具体例を示す図。
【図１３】作業工程の一例を示す図。
【図１４】ＲＦＩＤタグの準備処理の一例を示すフローチャート。
【図１５】筆記装置の処理の一例を示すフローチャート。
【図１６】字消装置の処理の一例を示すフローチャート。
【図１７】情報処理装置の情報管理処理の一例を示すフローチャート。
【図１８】情報処理装置のメール処理の一例を示すフローチャート。
【発明を実施するための形態】
【００１３】
以下、本発明の実施の形態を図面に基づいて説明する。
［実施の形態］
実施の形態では、種々の記録方式により、例えば、親水性を有する画像形成材料で形成された画像及び／又は所定のパターンを有する被記録媒体に対し、この画像形成材料の除去及び被記録媒体の再生に適用できる。
【００１４】
また、実施の形態は、例えば、インクジェット記録方式による画像及び／又は所定のパターンを有する被記録媒体に対し、この画像形成材料の除去及び被記録媒体の再生に適している。よって、以下、記録方式として、インクジェット記録方式を例にして実施の形態を説明する。まず、被記録媒体１の構成について説明する。
【００１５】
＜被記録媒体＞
図１は、実施の形態における被記録媒体１の一例を示す断面図である。図１に示す被記録媒体１は、耐水性を有する基質（支持体）１０の一方の面上に中間層２０が設けられ、基質１０側の面とは異なる中間層２０の面上には画像形成材料４０のための受容層３０が設けられる。画像形成材料４０は、親水性を有する。
【００１６】
（基質）
実施の形態における基質（支持体）１０は、後述する画像形成材料の除去液（以下、単に除去液ともいう）の供給により変質しない耐水性があるものが好ましい。また、基質１０は、記憶媒体５０を含む。記憶媒体５０は、例えば、ＲＦＩＤ（Radio Frequency IDentification）タグなどの無線ＩＣチップである。以下、記憶媒体５０は、ＲＦＩＤタグを例にして説明する。
【００１７】
基質１０にＲＦＩＤタグ５０が埋め込まれている場合、除去液の供給によっても、ＲＦＩＤタグ５０の性能が損なわれない基質１０が好ましい。
【００１８】
また、基質１０としては、高級印刷用紙、電子写真用記録用紙、及び感熱記録紙等を用いることができる。特に可逆性感熱記録紙は記録層がサーマルヘッドによる繰返し画像形成と画像消去に耐えられるように表面に硬化樹脂層を有するものが多く、このような可逆性感熱記録紙は、基質１０として好ましく用いることができる。
【００１９】
基質１０としては、透明支持体、不透明支持体のいずれも使用することができる。また、基質１０は、所望により下塗層等、その余の層を有していてもよい。
【００２０】
基質１０の厚さは、使途等によっても異なるが、３０μｍ〜１０００μｍであることが好ましく、６０μｍ〜８００μｍであることがより好ましい。厚さは使途やシートサイズ、材質等によっても異なる。例えば、基質１０にＲＦＩＤタグ５０を埋め込む場合は、通常６００μｍ〜８００μｍと比較的厚くなる。
【００２１】
なお、基質１０は、上記の通り、感熱記録媒体や熱転写記録媒体などを用いることもでき、この種の基質１０のうち典型例としての可逆性感熱記録媒体は、同出願人の特願２０１０−１９７３９５号を参照されたい。
【００２２】
（中間層）
インクジェット用の被記録媒体１の場合、基質１０に中間層２０を設けるとすると、例えば、ラテックスと称する親水性高分子材料又は本来疎水性高分子材料の水系エマルジョン塗工液が用いられてきた。多量の強力な乳化剤として、界面活性による本来水不溶性樹脂の強制的な乳化物がある。
【００２３】
これにより、基質１０表面および受容層３０の双方との強固な接着性を得て、また、印字されたインクによるビーデイング防止、ブリーデイング防止を図ることができる。一方で、多量の強力な乳化剤の使用による弊害は既に知られている。水溶性樹脂塗工液を稀に用いたときには、構成する樹脂と化学結合可能な官能基を有する架橋剤で架橋反応処理されてきた。従来技術においては、主に、強固な接着性出現が考慮され、水又は水系液体を付与することによる中間層の削除を志向したものでないから当然ではある。
【００２４】
これに対し、実施の形態における中間層２０は、除去液の供給により溶解又は膨潤する未硬化水溶性高分子材料を主成分として含有するものである。ここで、「主成分」とは、乾燥重量で６０％以上であることを意味する。実施の形態における被記録媒体１の中間層２０は、本発明の目的を損なわない範囲で、無機微粒子、有機微粒子、少量の界面活性剤、酸化防止剤、レベリング剤等々の各種副成分を所望により含有することができる。
【００２５】
実施の形態における被記録媒体１の中間層２０に用いる水溶性高分子材料は、それ自体成膜性があり、基質１０及び受容層３０の接着性に優れるが、除去液の供給により、溶解又は膨潤して基質１０との接着性を減少するものである。受容層３０との接着性も著しく減少するが、これは本発明においては不可欠ではない。中間層２０に用いられる水溶性樹脂については、同出願人の特願２０１０−１９７３９５号を参照されたい。
【００２６】
また、中間層２０は、受容層３０が収容しきれなかったインク（画像形成材料）を受容してもよい。そのため、中間層２０は、さらなる画像のチリ防止、滲み防止のため、かつ乾燥時の皮膜硬度を保持させるためにシリカ、酸化チタン、アルミナ、酸化亜鉛、炭酸カルシウム等の無機微粒子やアクリル、スチレン等の樹脂微粒子を添加してもよい。かかる無機微粒子を添加する場合、水溶性樹脂１００重量部に対して１〜５０重量部、好ましくは１〜２０重量部添加することができる。
【００２７】
また中間層２０は、通水性を上げるために必要に応じてカチオン性界面活性剤等の帯電防止処理を施してもよい。帯電防止剤は、受容層３０を形成する材料に添加してもよいし、受容層３０を形成した後に、適当な溶媒に溶解・分散させたものを塗布するようにしてもよい。さらに、中間層２０の劣化防止のため、紫外線吸収剤や酸価防止剤を含有させてもよい。紫外線吸収剤や酸価防止剤の添加量は、５重量％以下であることが好ましい。
【００２８】
（受容層）
実施の形態における受容層３０は、インクジェット記録ヘッドから送られてきたインク滴を、ビーデイング、ブリーデイングなしに好適に受容し画像形成するためのものである。この点では、通常のインクジェットにおける光沢記録紙のインク受容層と本質的に大きな差異はない。しかし、従来は通常、そのためのインク着色料を吸収する多量の無機微粒子、有機微粒子とこれらを固定するための少量のバインダー樹脂を含む塗工液を塗工、乾燥することにより形成していた。
【００２９】
これに対し、実施の形態における受容層３０は、後述する画像形成材料の除去処理過程で、下層である中間層２０への充分な通水性（通過性）をも有するものである。画像形成材料は、例えば、インクジェットインクの着色料である。また、受容層３０は、中間層２０の除去液による溶解又は膨潤により、崩壊又は中間層２０との接着状態が弛緩される。
【００３０】
また、通常のインクジェットにおける光沢記録紙のインク受容層の場合よりも、無機微粒子、有機微粒子添加量は零または非常に少なく、材料のほとんどは樹脂であることが好ましい点で、受容層３０と従来のインク受容層とは技術思想を異にする。
【００３１】
インク吸収のためのＢＥＴ表面積の比較的大きい微粒子の添加量は、控え目であることが好ましく、その分、層厚は若干厚くてよい。添加量は、例えば、バインダー樹脂１００部当たり、５０部以下、好ましくは３０部以下、より好ましくは２５部以下とする。
【００３２】
受容層３０中に浸透し、受容層３０から漏れたインク液は、実施の形態の場合、下の中間層２０が受け止めてくれる。
【００３３】
実施の形態における受容層３０は、着色料を含むインクジェット記録用インク液を吸収、受容するための微粒子を含んでいてもよい樹脂材料を含む。また、更に所望により、安定剤、分散剤、増粘剤、消泡剤、酸化防止剤、湿潤剤、紫外線吸収剤、耐水化剤等の各種の助剤を配合した水溶液あるいは水系のエマルジョンからなる塗工剤の塗工層として受容層３０は形成されてもよい。なお、受容層３０の詳細な成分などについては、同出願人の特願２０１０−１９７３９５号を参照されたい。
【００３４】
受容層３０の厚さは、受容層３０によるインク吸収作用が十分であり、受容層３０の形成作業が良好に行えるように、１〜１２０μｍ、好ましくは２〜６０μｍ程度である。厚さが１μｍに満たない場合は、皮膜化したときの耐水性、耐摩傷性、耐候性などの耐環境性か向上の効果が十分でないおそれがあるので好ましくない。
【００３５】
＜画像形成材料＞
実施の形態における画像形成材料４０は、親水性液媒体中に着色料及び所望により添加される他の補助材料を含むものである。着色料は、例えば、通常のインクジェットインクに含まれる各種染料及び顔料である。なお、使用されるインク組成物については、同出願人の特願２０１０−１９７３９５号を参照されたい。
【００３６】
＜データ消去システム＞
以下、上述した被記録媒体１を、データ消去システム用に用いる場合について説明する。図２は、実施の形態における被記録媒体１の一例を示す図である。図２に示す被記録媒体１は、画像形成材料４０により、画像７０や所定のパターン６０が形成されている。画像７０は、工程名「Ａ−１」を示す。画像は、他にも生産機種や工場名、組立チェックシートなどが形成されているが、工程名「Ａ−１」７０を例にして説明する。
【００３７】
図２に示す被記録媒体１の例では、ＲＦＩＤタグ５０が被記録媒体１に埋め込まれている。ＲＦＩＤタグ５０は、データを記録、消去可能な構成になっている。ＲＦＩＤタグ５０には、所定のデータが記憶されている。
【００３８】
図２に示す被記録媒体１は、所定のパターン６０が形成されている。所定のパターンは、筆記データを認識可能なパターンであり、例えば、アノト（Ａｎｏｔｏ）社のドットパターン（アノトパターン）である。筆記データは、手書きで書かれた文字や画像などであり、筆跡データや手書きデータ等とも呼ばれる。
【００３９】
図３は、実施の形態におけるドットパターン６０の一例を示す図である。このドットパターン６０は、例えば、縦横０．３ｍｍ間隔に点が並ぶ特殊なドットパターン（いわゆるアノトパターン）である。ドットパターン６０は、図３に示すように、０．３ｍｍ間隔の格子状の上に配置された縦横６×６ドットの計３６ドットの組み合わせで構成されている。
【００４０】
図４は、ドットパターン６０のずれを示す図である。図４に示すように、各ドットは、直交する点から上下左右のいずれかの方向にごくわずかにずれている。３６のドットがそれぞれ４通りの位置を持つため、４の３６乗という、膨大な数のパターンを作ることができる。
【００４１】
このドットパターン６０を形成するためには、高解像度のプリンタで形成することが必要となるが、上述した被記録媒体１は、高解像度のプリンタで印刷可能である。よって、被記録媒体１は、高解像度を必要とする所定のパターン６０であっても形成することができる。なお、所定のパターン６０としては、アノトパターンに限定されるものではなく、筆記データを認識可能とするパターンであればよい。
【００４２】
＜システム構成＞
図５は、図２の被記録媒体のデータを消去するシステムの一例を示す図である。図５に示す例では、データ消去システムは、被記録媒体１と字消装置６００とを備える。また、このデータ消去システムとデータ入力システムとを用いて情報管理システムを構築することも可能である。
【００４３】
情報管理システムは、情報処理装置（例えば、ホストコンピュータ）１００、プリンタ（例えば、インクジェットプリンタ）２００、被記録媒体１、筆記装置３００、ＲＦＩＤリーダーライター４００、字消装置６００を有する。ＲＦＩＤリーダーライター４００は、作業現場に設置される。ＲＦＩＤリーダーライター４００は、ＲＦＩＤアンテナを有する。
【００４４】
情報処理装置１００と、プリンタ２００と、筆記装置３００、ＲＦＩＤリーダーライター４００と、字消装置６００とは、それぞれネットワークを介してデータの送受信が可能となっている。また、プリンタ２００は、ＲＦＩＤタグへのデータの書き込み及び読み込みが可能なＲＦＩＤリーダーライター２０１が内蔵されている。ＲＦＩＤリーダーライター２０１は、ＲＦＩＤアンテナを有する。
【００４５】
図５に示す実施の形態におけるデータ消去システムでは、被記録媒体１は、「ＧＸ３３００」という機種の工程「Ａ−１」という工程管理で記録されたデータを消去する際に使用される。以下、この工程「Ａ−１」を作業する人が、「ＸＸＸ」さん、データを消去する人が「ＹＹＹ」さんの場合について説明する。なお、「ＸＸＸ」さんと「ＹＹＹ」さんは同一人物でもよい。
【００４６】
ＲＦＩＤタグ５０には、被記録媒体１又は記憶媒体５０に関する情報、例えば、固有の識別情報（以下、固有ＩＤともいう）である「ａ」が記憶される。このデータは、情報処理装置１００からプリンタ２００に送られ、プリンタ２００は、被記録媒体１のＲＦＩＤタグ５０に、ＲＦＩＤリーダーライター２０１を用いて書き込む。また、このデータは、工場出荷時に既に記憶されていてもよい。
【００４７】
プリンタ２００は、情報処理装置１００から被記録媒体１に印刷するデータを取得すると、図２に示すように、作業工程を表す文字、写真等の画像等を印刷する。なお、画像は、バーコードなどであってもよい。また、プリンタ２００は、記録ヘッドからインク（画像形成材料）を吐出して、所定のパターン６０を被記録媒体１の表面の一部に印刷する。
【００４８】
ここで、被記録媒体１に印刷された所定のパターン６０上で、筆記装置３００を用いて筆記されたとする。このとき、筆記装置３００により筆記データが読み取られ、筆記データの電子データが、後述する筆記装置３００のＲＦＩＤリーダーライター３０２により、被記録媒体１のＲＦＩＤタグ５０に書き込まれる。
【００４９】
また、被記録媒体１に印刷された所定のパターン６０上に筆記された筆記データが、字消装置６００を用いて消去されたとする。このとき、字消装置６００により筆記データの消去が認識され、後述する字消装置６００のＲＦＩＤリーダーライター６０２により、被記録媒体１のＲＦＩＤタグ５０に記憶された電子データが消去される。
【００５０】
（作業内容）
次に、作業内容について説明する。データ消去システムに関する作業が行われる前に、以下の作業が情報管理システムで行われている。まず、「ＸＸＸ」さんが、作業「ＧＸ３３００」という機種の工程「Ａ−１」の作業をする場合、被記録媒体１をＲＦＩＤリーダーライター４００にかざす。ＲＦＩＤリーダーライター４００は、被記録媒体１のＲＦＩＤタグ５０に記憶された固有ＩＤ「ａ」を読み取る。
【００５１】
読み取られたデータは、情報処理装置１００に送信され、情報処理装置１００は、固有ＩＤ「ａ」に対応する工程「Ａ−１」に対応する作業指示を、表示画面に表示する。後述するように、情報処理装置１００は、固有ＩＤ「ａ」と、作業工程「Ａ−１」とを関連付けて管理しておく。作業工程「Ａ−１」は、対応する作業指示を関連付けておいてもよい。
【００５２】
また、表示手段をＲＦＩＤリーダーライター４００付近に設置し、表示手段は、ＲＦＩＤリーダーライター４００で読み取ったデータや、上述した作業指示などを表示するようにしてもよい。
【００５３】
「ＸＸＸ」さんは、表示画面に表示された作業指示に従い組立を行い、作業を終えると、被記録媒体１上のチェックシートに従い、作業を確認する。「ＸＸＸ」さんは、チェックシートの確認が終わると、所定のパターン６０が印刷された作業者サインの欄に手書きで、作業者名を筆記する。この場合、筆記データは、例えば「ＸＸＸ」となる。作業者名の筆記が終わると、筆記装置３００の転送スイッチを押す作業が作業標準になっている。
【００５４】
このため、「ＸＸＸ」さんが作業を終えると、被記録媒体１上の所定のパターン６０が印刷された作業者サインの欄に、筆記装置３００で作業者名を筆記する。筆記装置３００は、筆記データを画像データとして認識することが可能である。また、筆記装置３００は、ＲＦＩＤタグ５０のデータを読み取ることが可能であり、認識した画像データを、ＲＦＩＤタグ５０に書き込むことも可能である。
【００５５】
次に、データ消去システムが用いられる場合について説明する。データ消去システムが用いられる場合、「ＹＹＹ」さんは、筆記された筆記データの消去を、字消装置６００を用いて行う。
【００５６】
字消装置６００は、ＲＦＩＤタグ５０のデータを読み取ることが可能であり、ＲＦＩＤタグ５０の手書きデータ領域の情報の消去も可能である。なお、ＲＦＩＤタグ５０は、ＲＦＩＤタグ５０の固有ＩＤを記憶するＩＤ領域、筆記データを記憶する手書きデータ領域を少なくとも有する。
【００５７】
次に、筆記装置３００と字消装置６００とについて説明する。図６は、筆記装置３００と字消装置６００の構成の一例を示すブロック図である。まずは、筆記装置３００の構成について説明する。
【００５８】
＜筆記装置＞
図６に示す筆記装置３００は、ペン型であり、読取部３０１、ＲＦＩＤリーダーライター３０２、ペンダウン検出部３０３、データ記録部３０４、データ転送部３０５、転送スイッチ３０６、クリアスイッチ３０７、データ処理部３０８、及び筆記部３１０を備える。
【００５９】
また、読取部３０１、ＲＦＩＤリーダーライター３０２、ペンダウン検出部３０３、データ記録部３０４、データ転送部３０５、転送スイッチ３０６、クリアスイッチ３０７及びデータ処理部３０８は、それぞれデータバス３０９に接続される。データ転送部３０５は、無線又は有線の回線によって情報処理装置１００に接続される。
【００６０】
読取部３０１は、筆記装置３００の先端に設けられ、被記録媒体１上の所定のパターン６０を光学的に読み取り、その軌跡を正確に計測して筆記データを画像データとして得ることができる。例えば、読取部３０１は、ペンダウン検出部３０３により、ペン先が被記録媒体１に接触しているときに読取処理を行う。
【００６１】
読取部３０１は、例えば、小型カメラであり、文字を書く際に、１．８ｍｍ角の範囲のドットパターン６０（上述の通り縦横６×６ドット＝計３６ドット）を１秒間に例えば７５枚の高速撮影を行う。読取部３０１は、筆記装置３００が通過したドットパターン６０上の位置情報を刻々と捕捉していくことで、イメージスキャンしたような画像データとして筆記データを再現する。
【００６２】
ＲＦＩＤリーダーライター３０２は、ＲＦＩＤアンテナを含み、被記録媒体１に内蔵されたＲＦＩＤタグ５０に対し、データの読み出しを行う。例えば、ＲＦＩＤリーダーライター３０２は、ＲＦＩＤタグ５０から固有ＩＤ「ａ」を読み出す。なお、ＲＦＩＤリーダーライター３０２は、ＲＦＩＤタグ５０に対してデータを書き込む書込手段、ＲＦＩＤタグ５０のデータを読み込む読込手段として機能する。
【００６３】
また、ＲＦＩＤリーダーライター３０２は、データ記録部３０４に記録された電子データをＲＦＩＤタグ５０の手書きデータ領域に書き込む。この場合、電子データが、ＲＦＩＤタグ５０の固有ＩＤに関連付けられて記憶される。データ記録部３０４に記録された電子データは、例えば、作業者名を示す画像データであるが、これに限られず、ＯＣＲ（Optical Character Recognition）処理された作業者名の文字データなどでもよい。
【００６４】
これにより、筆記データの電子データと、ＲＦＩＤタグ５０の固有ＩＤとを関連付けてＲＦＩＤタグ５０に記憶しておくことができる。よって、情報処理装置１００にアクセスしなくても、被記録媒体１から、筆記装置３００で電子化した電子データを読み出すことができるようになる。
【００６５】
ＲＦＩＤリーダーライター３０２の書き込み処理は、転送スイッチ３０６により指示されてもよいし、読取部３０１による読取処理が終了した後に自動で行われるようにしてもよい。
【００６６】
ペンダウン検出部３０３は、筆記装置３００のペン先が被記録媒体１に接触しているか否かを検出する。ペンダウン検出部３０３は、例えば、筆圧センサであり、ペン先における筆圧を計測することにより、ペン先と被記録媒体１との接触の有無を検出する。
【００６７】
なお、ペンダウン検出部３０３は、ペン先と被記録媒体１との接触を検出すればよいため、ペン先がペン軸に沿った方向にわずかなストロークを持ち、その終端にマイクロスイッチを備えることでも実現できる。
【００６８】
データ記録部３０４は、読取部３０１により生成された筆記データの電子データを記録する。電子データは、例えば画像データであるが、筆記装置３００内でＯＣＲ処理が可能であれば、文字データであってもよい。
【００６９】
データ記録部３０４は、電子データを記録するのに十分な所定の容量を有するメモリである。また、データ記録部３０４は、記録したデータを消去することもできる。消去するトリガは、クリアスイッチ３０７がＯＮになり、消去のための信号を取得したときである。
【００７０】
データ転送部３０５は、ネットワークを介してデータの送受信が可能な通信手段であり、データ記録部３０４に記録された筆記データの電子データと、ＲＦＩＤタグ５０から読み取られた固有ＩＤ「ａ」とを、情報処理装置１００に転送する（送信する）。転送するトリガは、送信スイッチ（不図示）がＯＮになり、転送のための信号を取得したときである。
【００７１】
転送スイッチ３０６は、ＯＮ／ＯＦＦを制御するスイッチである。転送スイッチ３０６がＯＮになったときに、データ処理部３０８は、ＲＦＩＤリーダーライター３０２に対して、書き込むための信号を出力する。
【００７２】
クリアスイッチ３０７は、ＯＮ／ＯＦＦを制御するスイッチである。クリアスイッチ３０７がＯＮになったときに、データ処理部３０８は、データ記録部３０４に対して、消去するための信号を出力する。
【００７３】
転送スイッチ３０６、クリアスイッチ３０７は、押下可能にして筆記装置３００に設けられ、ユーザがＯＮ／ＯＦＦを切り替えるものである。データ処理部３０８は、上記各部を制御する。データ処理部３０８は、例えばＣＰＵ（Central Processing Unit）である。
なお、クリアスイッチ３０７は、必ずしも必要な構成ではない。
【００７４】
また、筆記装置３００は、ボールペンやマジックなどと同様に被記録媒体１への筆記を可能とするペン先を有する筒型の筐体に収納され、図示しない電源から供給される電力により動作する。
【００７５】
筆記部３１０は、筆記データを可視化するための部であり、例えば、鉛筆の芯やボールペンなどである。筆記部３１０の先は、上述したペン先である。ユーザは、筆記部３１０を用いて所定の筆記データを所定のパターン６０上に可視化する。
【００７６】
ここで、筆記装置３００の具体例として、アノト（Ａｎｏｔｏ）社のアノトペンがある。アノトペンは、手書き情報のデジタル化を実現し、書き順や書く速度、筆圧、ペンの傾き、書いた日時などもあわせて記録可能である。
【００７７】
なお、情報処理装置１００は、筆記装置３００内に記録された筆記データの画像データを利用して種々の文書処理又は文書管理を実行する。次に、筆記装置３００で筆記した筆記データを消去する字消装置６００について説明する。
【００７８】
＜字消装置＞
次に、実施の形態における字消装置６００の構成について説明する。図６に示す字消装置６００は、認識部６０１、ＲＦＩＤリーダーライター６０２、スイッチ６０３、データ記録部６０４、データ転送部６０５、データ処理部６０８、及び字消部６１０を備える。
【００７９】
また、認識部６０１、ＲＦＩＤリーダーライター６０２、データ記録部６０４、データ転送部６０５、及びデータ処理部６０８は、それぞれデータバス６０９に接続される。データ転送部６０５は、無線又は有線の回線によって情報処理装置１００に接続される。
【００８０】
認識部６０１は、字消装置６００の字消部６１０の近傍に設けられ、被記録媒体１上の所定のパターン６０を光学的に読み取り、所定のパターン６０の所定部分で字消しを行っていることを認識する。字消部６１０の近傍とは、例えば、字消部６１０に隣接する位置であり、字消部６１０による字消し中に、所定のパターン６０を光学的に読み取ることができる場所であればよい。
【００８１】
例えば、認識部６０１は、字消部６１０による字消しで押下されるスイッチ６０３により、字消しを行うことが指示された場合に読取を行う。認識部６０１は、例えば、小型カメラである。認識部６０１は、スイッチ６０３が押下された状態で、所定のパターン６０を読み取った場合に、所定のパターン６０上で字消しを行っていると認識できる。
【００８２】
ＲＦＩＤリーダーライター６０２は、ＲＦＩＤアンテナを含み、被記録媒体１に内蔵されたＲＦＩＤタグ５０に対し、データの読み出しを行う。例えば、ＲＦＩＤリーダーライター６０２は、ＲＦＩＤタグ５０から固有ＩＤ「ａ」を読み出す。なお、ＲＦＩＤリーダーライター６０２は、ＲＦＩＤタグ５０に対してデータを消去する消去手段、ＲＦＩＤタグ５０のデータを読み込む読込手段として機能する。
【００８３】
また、ＲＦＩＤリーダーライター６０２は、認識部６０１が所定のパターン６０を認識した場合に、ＲＦＩＤタグ５０から読み出した固有ＩＤに対し、ＲＦＩＤタグ５０の手書きデータ領域に記憶されたデータを消去する。
【００８４】
これにより、被記録媒体１上の筆記データを消去する場合でも、所定のパターン６０上の筆記データと、ＲＦＩＤタグ５０に記憶された筆記データの電子データとの整合性をとることができる。
【００８５】
ＲＦＩＤリーダーライター６０２の消去処理は、例えばスイッチ６０３の押下が解除された際に自動で行われる。
【００８６】
スイッチ６０３は、字消部６１０が被記録媒体１に接触しているか否かを検出する。スイッチ６０３は、例えば、字消部６１０の被記録媒体１の接触面と対向する面（以下、単に背面とも呼ぶ）又は接触面の側面（以下、単に側面とも呼ぶ）に配置された圧力センサである。この圧力センサは、例えば、字消部６１０と字消部６１０のケースとの圧力を計測することにより、字消部６１０と被記録媒体１との接触の有無を検出する。字消部６１０で字消し中は、字消部６１０の背面又は側面とケースとが圧迫される状態になるため、この状態を接触の有無判定に利用する。
【００８７】
なお、スイッチ６０３は、字消部６１０と被記録媒体１との接触を検出すればよいため、字消部６１０の背面又は側面にわずかなストロークを持ち、その終端にマイクロスイッチを備えることでも実現できる。
【００８８】
データ記録部６０４は、ＲＦＩＤリーダーライター６０２によって読み取られた固有ＩＤを記録する。
【００８９】
データ転送部６０５は、ネットワークを介してデータの送受信が可能な通信手段である。データ転送部６０５は、データ記録部６０４に記録された固有ＩＤ（例えば「ａ」）、クリアデータを、情報処理装置１００に転送する（送信する）送信手段として機能する。クリアデータは、データを消去するためのデータであり、例えばＮＵＬＬデータである。転送するトリガは、送信スイッチ（不図示）がＯＮになり、転送のための信号を取得したときである。
【００９０】
データ処理部６０８は、データバス６０９で接続された各部を制御する。データ処理部６０８は、例えばＣＰＵ（Central Processing Unit）である。
【００９１】
また、字消装置６００は、消しゴムなどと同様に、被記録媒体１に筆記された情報の消去を可能とする字消部６１０のケースとなる筐体を有する。この筐体内に、例えば、認識部６０１、ＲＦＩＤリーダーライター６０２、スイッチ６０３、データ記録部６０４、データ転送部６０５、データ処理部６０８が構成される。この筐体内の各部は、図示しない電源から供給される電力により動作する。
【００９２】
字消部６１０は、筆記された情報の消去を行うための部であり、例えば、消しゴムや、ボールペン字消去のための摩擦部などである。ユーザは、字消部６１０を用いて所定の筆記データを所定のパターン６０上から消去する。
【００９３】
次に、情報処理装置１００について詳細に説明する。
【００９４】
＜情報処理装置＞
次に、実施の形態における情報処理装置１００のハードウェアについて説明する。図７は、実施の形態における情報処理装置１００のハードウェアの一例を示すブロック図である。図７に示すように、情報処理装置１００は、制御部１０１、主記憶部１０２、補助記憶部１０３、外部記憶装置Ｉ／Ｆ部１０４、ネットワークＩ／Ｆ部１０５、入力部１０６、表示部１０７を含む。これら各構成は、バスを介して相互にデータ送受信可能に接続されている。
【００９５】
制御部１０１は、コンピュータの中で、各装置の制御やデータの演算、加工を行うＣＰＵである。また、制御部１０１は、主記憶部１０２に記憶されたプログラムを実行する演算装置であり、入力装置や記憶装置からデータを受け取り、演算、加工した上で、出力装置や記憶装置に出力する。
【００９６】
主記憶部１０２は、ＲＯＭ（Read Only Memory）やＲＡＭ（Random Access Memory）などであり、制御部１０１が実行する基本ソフトウェアであるＯＳやアプリケーションソフトウェアなどのプログラムやデータを記憶又は一時保存する記憶装置である。
【００９７】
補助記憶部１０３は、ＨＤＤ（Hard Disk Drive）などであり、アプリケーションソフトウェアなどに関連するデータを記憶する記憶装置である。
【００９８】
外部記憶装置Ｉ／Ｆ部１０４は、ＵＳＢ（Universal Serial Bus）などのデータ伝送路を介して接続された記憶媒体１０８（例えば、フラッシュメモリ、ＳＤカードなど）と情報処理装置１００とのインタフェースである。
【００９９】
また、記憶媒体１０８に、所定のプログラムを格納し、この記憶媒体１０８に格納されたプログラムは外部記憶装置Ｉ／Ｆ部１０４を介して情報処理装置１００にインストールされ、インストールされた所定のプログラムは情報処理装置１００により実行可能となる。
【０１００】
ネットワークＩ／Ｆ部１０５は、有線及び／又は無線回線などのデータ伝送路により構築されたＬＡＮ（Local Area Network）、ＷＡＮ（Wide Area Network）などのネットワークを介して接続された通信機能を有する周辺機器と情報処理装置１００とのインタフェースである。
【０１０１】
入力部１０６は、カーソルキー、数字入力及び各種機能キー等を備えたキーボード、表示部１０７の表示画面上でキーの選択等を行うためのマウスやスライスパット等を有する。また、入力部１０６は、ユーザが制御部１０１に操作指示を与えたり、データを入力したりするためのユーザインタフェースである。
【０１０２】
表示部１０７は、ＣＲＴやＬＣＤ等により構成され、制御部１０１から入力される表示データに応じた表示が行われる。なお、表示部１０７は、情報処理装置１００とは別体であってもよく、その場合の情報処理装置１００は、表示部１０７に表示するための表示制御機能を有する。
【０１０３】
（機能）
次に、情報処理装置１００の機能について説明する。図８は、情報処理装置１００の機能の一例を示すブロック図である。図８に示す例では、情報処理装置１００は、通信手段１１１、文字認識手段１１２、管理手段１１３、メール作成手段１１４、記憶手段１１５を備える。
【０１０４】
なお、通信手段１１１は、例えばネットワークＩ／Ｆ部１０５などにより実現されうる。文字認識手段１１２、メール作成手段１１４は、例えば制御部１０１やワークメモリとしての主記憶部１０２などにより実現されうる。管理手段１１３は、例えば制御部１０１や補助記憶部１０３などにより実現されうる。記憶手段１１５は、例えば補助記憶部１０３などにより実現されうる。
【０１０５】
通信手段１１１は、ネットワークを介してデータの送受信を行う。通信手段１１１は、例えば、筆記装置３００から筆記データの電子データ（例えば画像データや文字データ）や固有ＩＤを受信する。また、通信手段１１１は、ＲＦＩＤリーダーライター４００から記憶媒体の固有ＩＤ及び／又は筆記データの電子データを受信したり、記憶媒体の固有ＩＤや印刷内容をプリンタ２００に送信したりする。また、通信手段１１１は、字消装置６００から固有ＩＤやデータを消去するためのクリアデータを受信する。
【０１０６】
文字認識手段１１２は、例えばＯＣＲ処理を実行可能であり、電子データが画像データである場合、画像データに対して文字認識処理を行う。文字認識手段１１２は、例えば「ＸＸＸ」という画像データに対し、文字認識処理を行い、「ＸＸＸ」を文字データに変換する。文字認識手段１１２は、文字認識処理が終了すると、「ＸＸＸ」という文字データを、メール作成手段１１４に出力する。
【０１０７】
管理手段１１３は、記憶媒体５０の固有ＩＤを管理しておく。固有ＩＤは、管理手段１１３により１又は複数管理される。ここでは、管理手段１１３は、例えば、固有ＩＤと、作業工程と、署名された電子データとを関連付けて管理する。なお、管理手段１１３は、電子データとして、例えば、署名された画像データ又は文字認識された文字データを管理するようにすればよい。
【０１０８】
管理手段１１３は、通信手段１１１から固有ＩＤを示す「ａ」の文字データと、電子データとを取得した場合、まず、「ａ」の文字列を既に管理しているかどうかの照合処理を行う。管理手段１１３が、既に「ａ」の文字列を管理している場合、その文字列「ａ」に関連付けて「ＸＸＸ」の電子データを管理する。管理手段１１３は、「ＸＸＸ」の電子データの関連付けが終了すると、その旨をメール作成手段１１４に通知する。
【０１０９】
管理手段１１３は、「ａ」の文字列が管理されていない場合、エラー処理を行う。エラー処理は、例えば、筆記装置３００にエラーを通知し、筆記装置３００は、エラーを通知された場合、ＬＥＤ（Light Emitting Diode）などを点灯又は点滅させてユーザに知らせるなどの処理である。
【０１１０】
さらに、管理手段１１３は、通信手段から固有ＩＤを示す「ａ」の文字データとクリアデータを取得した場合も、同様に「ａ」の文字列を既に管理しているかどうかの照合処理を行う。管理手段１１３が、既に「ａ」の文字列を管理している場合、その文字列にクリアデータを関連付ける。つまり、管理手段１１３は、「ａ」に既に文字列「ＸＸＸ」が関連付けられていた場合、ＮＵＬＬデータを上書きしてその文字列「ＸＸＸ」を消去する。管理手段１１３は、その文字列「ＸＸＸ」の電子データを消去した旨をメール作成手段１１４に通知してもよい。
【０１１１】
管理手段１１３は、「ａ」の文字列が管理されていない場合、筆記の際と同様にエラー処理を行う。
【０１１２】
これにより、管理手段１１３が、署名された電子データを管理した場合、その工程は作業が終了したことを示すことができ、誰がその作業をしたかを管理することもできる。また、誤って署名が行われた場合には、その署名に対応する電子データの消去を行うことができる。
【０１１３】
記憶手段１１５は、ユーザ名とメールアドレスとを関連付けたアドレス情報を記憶する。例えば、アドレス情報には、ユーザ名「ＸＸＸ」に対し、「ＸＸＸ＠ｙｙｙ．ｃｏｍ」のメールアドレスが関連付けられている。アドレス情報は、ユーザ名とメールアドレスの組合せを１又は複数保持する。
【０１１４】
メール作成手段１１４は、管理手段１１３により、電子データの関連付けが終了した旨の通知を受けた場合、また、「ＸＸＸ」の文字列にクリアデータが上書きされた場合、管理手段１１３又は文字認識手段１１２から取得した「ＸＸＸ」の文字列と、記憶手段１１５に記憶されているアドレス情報のユーザ名と照合する。
【０１１５】
メール作成手段１１４は、一致するユーザ名がアドレス情報にあった場合、そのユーザ名に対応するメールアドレスを宛先にし、メールを作成する。メール本文は、例えば、署名の関連付けが完了した旨、又は関連付けが解消した旨を記載する。メール作成手段１１４は、通信手段１１１にメールを出力する。通信手段１１１は、メール作成手段１１４により作成されたメールを宛先に送信する。
【０１１６】
メール作成手段１１４は、一致するユーザ名がない場合は、エラー処理を行う。エラー処理は、例えば、筆記装置３００にメール送信できなかった旨を通知し、筆記装置３００のバイブレーション機能やＬＥＤ点灯又は点滅を作動させる処理である。
【０１１７】
なお、電子データの関連付けができなかった場合のエラー処理と、メール送信できなかった場合のエラー処理とは、異なる処理にすればよい。例えば、電子データの記憶未完了の場合は、ＬＥＤ点灯、メール未送信の場合は、ＬＥＤ点滅などにすればよい。
【０１１８】
これにより、ユーザは、どのエラー処理であるかを把握することができ、その後の対策を立てやすくなる。
【０１１９】
＜データ例＞
次に、各種データについて図９を用いて説明する。図９は、各データの一例を示す図である。図９（Ａ）は、ＲＦＩＤタグ５０に記憶されるデータの例を示す。図９（Ａ）に示すように、ＲＦＩＤタグ５０は、工場出荷時などでは、ＲＦＩＤタグを識別するための固有ＩＤ「ａ」を記憶している。
【０１２０】
次に、筆記装置３００のＲＦＩＤリーダーライター３０２から電子データを書き込まれると、固有ＩＤに関連付けて電子データ「ＸＸＸ」がＲＦＩＤタグ５０に記憶される。
【０１２１】
図９（Ｂ）は、筆記装置３００のデータ記録部３０４に記憶されるデータの例を示す。図９（Ｂ）に示すように、データ記録部３０４には、読取部３０１により読み取られた電子データが記憶される。
【０１２２】
なお、ＲＦＩＤリーダーライター３０２により、ＲＦＩＤタグ５０の固有ＩＤを読み取って、データ記録部３０４に記憶するようにしてもよい。この場合、データ記録部３０４には、ＲＦＩＤタグ５０の固有ＩＤと、作業者名を表す電子データとが記憶される。
【０１２３】
ここで、字消装置６００のＲＦＩＤリーダーライター６０２から電子データの消去が行われると、ＲＦＩＤタグ５０の固有ＩＤに関連付けられていた電子データ「ＸＸＸ」が消去される。
【０１２４】
図９（Ｃ）は、情報処理装置１００の管理手段１１３が管理するデータの例を示す。筆記装置３００からのデータの転送前は、固有ＩＤと工程とのデータが管理されている。筆記装置３００又は他の装置（例えばＲＦＩＤリーダーライター４００）からのデータ転送があると、固有ＩＤ「ａ」に対応する作業者名「ＸＸＸ」の電子データが管理される。なお、工程のデータは、必ずしも必要ではない。
【０１２５】
この後、例えば字消装置６００から固有ＩＤとクリアデータの転送があると、固有ＩＤ「ａ」に対応する作業者名「ＸＸＸ」の電子データが消去される。
【０１２６】
＜被記録媒体初期化＞
前述した被記録媒体１は、初期化することができる。被記録媒体１を初期化する場合、被記録媒体１に印刷された画像、所定のパターン６０、筆記データなどを消去する必要がある。また、ＲＦＩＤデータ５０に書き込まれたデータを一度消去し、初期化するようにしてもよい。
【０１２７】
次に、実施の形態における被記録媒体１の画像、所定のパターン６０及びＲＦＩＤタグ５０のデータを消去するのに適した画像消去装置について説明する。図１０は、画像消去装置５００の構成の一例を示す図である。
【０１２８】
実施の形態における被記録媒体１の画像消去方法は、被記録媒体１の画像保持面に水又は水性液を有する除去液（画像形成材料の除去液）を供給する除去液供給処理と、被記録媒体１の画像保持面を擦掃する擦掃処理を含む。これらの処理は同時に進行してもよいが、図１０に示す例の画像消去装置５００においては逐次遂行される。
【０１２９】
図１０に示される画像消去装置５００において、被記録媒体１は、搬送ローラ対５０１により装置内に搬送され、除去液の付与箇所で画像材料除去液槽５０２内の除去液が加圧され液噴射ノズル５０３から被記録媒体１表面に噴射される。
【０１３０】
液噴射ノズル５０３は、複数のノズルヘッドからなるノズルアレイであってもよく、また、スリット式の噴射ヘッドであってもよい。除去液が画像形成材料を有する受容層３０面に付与され、中間層２０が膨潤される。
【０１３１】
次に被記録媒体１は、擦掃処理に導かれ、保持ローラ対５０６と保持ローラ対５０７で保持された状態で、ブラシローラ５０８によりブラッシングされる。これにより、膨潤した中間層２０が除去される。
【０１３２】
しかし、実施の形態においては、ブラッシングに代え、織布等による拭払であってもよい。図１０に示すブラシクローニングベルト５０９は、ブラシローラ５０８に付いたペースト状の屑を除去する。
【０１３３】
その後、図１０に示す例では、被記録媒体１は、残った中間層２０材料をより完全に除去するため、バックアップローラ５１０の助けのもとで、表面掃掻ブレ−ド５１１により屑材料が掻き取られる。その後、被記録媒体１は、トレー５１３上に排出されるが、このような表面掃掻ブレ−ド５１１は、実施の形態において必ずしも必要なものではない。
【０１３４】
さらに、画像消去装置５００内には、ＲＦＩＤタグ５０へのデータの書き込みが可能なＲＦＩＤリーダーライター５１２が内蔵されている。
【０１３５】
ＲＦＩＤリーダーライター５１２は、画像消去装置５００により画像や所定パターンなどが消去された被記録媒体１内のＲＦＩＤタグのデータを消去する。この場合、被記録媒体１は、画像や所定のパターン６０及びＲＦＩＤタグ５０のデータが無い状態でトレー６５１３に排出される。このように、画像除去処理後の被記録媒体１は、基質１０のみになっている。基質１０には、必要に応じてＲＦＩＤタグ５０が内蔵される。
【０１３６】
＜被記録媒体の再生＞
次に、被記録媒体１の再生について説明する。図１１は、再生コーティング装置６００の構成の一例を示す図である。再生コーティング装置６００は、被記録媒体１を再生することができる。
【０１３７】
図１１に示すように、画像消去処理によって基質１０のみになった被記録媒体１は、再生コーティング装置６００により、耐水性を有する基質１０上に中間層２０がコーティングされ、中間層２０が乾燥される。
【０１３８】
中間層２０の乾燥後、再生コーティング装置６００は、中間層２０の基質１０側とは逆の面上に、画像形成材料４０のための受容層３０をコーティングし、乾燥させる。これにより、被記録媒体１の再生が完了する。
【０１３９】
＜具体例＞
ここで、被記録媒体１の画像形成、画像消去、再生の一連の動作の具体例について説明する。生産する機種や各工程により、作業工程を表す文字、バーコード、写真等の画像等が代わり、被記録媒体１は、書き換えられる。
【０１４０】
また、作業者も異なるため、作業者サインの欄のボールペンやマジックなどで書かれた筆記データも消去が必要となる。また、被記録媒体１に印刷されるレイアウトも機種や各工程により変更されるため、所定のパターン６０の位置や大きさも、必要に応じて変更される。
【０１４１】
図１２は、画像形成、画像消去、再生の一連の動作の具体例を示す図である。図１２に示すように、被記録媒体１は、（１）〜（６）の状態に変化する。なお、各状態は、被記録媒体１の表面と、被記録媒体１の断面とを用いて説明する。
【０１４２】
（１）の状態は、例えば、工場出荷時の状態を示す。（１）の状態の被記録媒体１は、基質１０、基質１０の上に中間層２０、中間層２０の上に受容層３０を有する。このときのＲＦＩＤタグ５０には、例えば、ＲＦＩＤタグの固有の識別情報（固有ＩＤ）が記憶されている。
【０１４３】
（２）の状態は、プリンタ２００により画像（画像７０を含む）、所定のパターン６０、を画像形成材料４０により形成された状態を示す。例えば、インクジェットのインクにより、画像７０、所定のパターン６０などが被記録媒体１に印刷される。このとき、プリンタ２００のＲＦＩＤリーダーライター２０１は、ＲＦＩＤタグ５０の固有ＩＤに対応する、組み立てる機種を認識するデータと、作業する工程「Ａ−１」を認識するデータとを、印刷時などにＲＦＩＤタグ５０に書き込んでもよい。（２）の被記録媒体１は、工程「Ａ−１」の場合の画像７０や所定パターン６０などが印刷される。
【０１４４】
（３）の状態は、工程「Ａ−１」の作業が終わり、作業者により、所定のパターン６０上に、作業者の名前を筆記された状態を示す。ここでは、作業者の名前は「ＸＸＸ」とする。このとき、作業者は、上述した筆記装置３００を用いて、自分の名前を筆記する。
【０１４５】
この後、例えば、筆記装置３００は、生成した「ＸＸＸ」の電子データを、ＲＦＩＤタグ５０に書き込む。これにより、ＲＦＩＤタグ５０には、固有ＩＤと電子データとが関連付けられることになる。
【０１４６】
（４）の状態は、字消装置６００により、作業者の名前が消去された状態を示す。筆記データは、例えば作業者の名前が誤っていた場合や、正しく電子データを認識できない場合に消去される。このとき、消去する者は、上述した字消装置６００を用いて、名前の消去を行う。この後、例えば、字消装置６００は、固有ＩＤに基づいて「ＸＸＸ」の電子データの削除を行う。
【０１４７】
（５）の状態は、所定のパターン６０上に、再度作業者の名前が筆記された状態を示す。この場合の処理は（３）と同じである。
【０１４８】
（６）の状態は、（３）や（５）の状態の被記録媒体１に対して、画像消去処理を施した後の状態を示す。（３）や（５）の状態の被記録媒体１で、作業が終了し、その用途を終えた場合には、被記録媒体１を再利用するための画像消去が行われる。被記録媒体１は、画像消去装置５００により画像消去処理が行われ、画像７０、所定のパターン６０などが消去される。
【０１４９】
また、被記録媒体１内のＲＦＩＤタグ５０のデータは、例えば固有ＩＤ以外がＲＦＩＤリーダーライター５１２により消去される。なお、必要に応じて、固有ＩＤを消去してもよい。このとき、被記録媒体１は、基質１０のみである。
【０１５０】
（７）の状態は、画像消去後に、再生コーティング処理を施した状態を示す。（７）の状態の被記録媒体１は、再生コーティング処理により、基質１０の上に、中間層２０、受容層３０が再生されている。これにより、被記録媒体１は、（１）の状態に戻り、再生初期化され、再利用される。
【０１５１】
（８）の状態は、（２）の状態とは異なる画像、所定のパターンが印刷された状態を示す。（８）の被記録媒体１は、工程「Ａ−２」の場合の画像７０や所定のパターン６０などが印刷されている。（８）の被記録媒体１は、所定のパターン６０のサイズ、位置、画像７０の位置が（２）の状態の被記録媒体１とは異なる。また、ＲＦＩＤタグ５０の固有ＩＤが書き換え可能ならば、書き換えてもよい。これにより、被記録媒体１は、機種や工程内容などに応じて、形成される画像を変更したり、形成される所定パターンの位置、サイズを変更したり、固有ＩＤを書き換えたりすることができる。
【０１５２】
なお、（８）の被記録媒体１には、ＲＦＩＤタグ５０には、固有ＩＤ「ｂ」が記憶された後、作業者名「ＹＹＹ」が所定のパターン６０上に、筆記装置３００で筆記されると、前述した「ＸＸＸ」の処理と同様の処理が行われる。つまり、生成された「ＹＹＹ」の電子データが、ＲＦＩＤタグ５０に書き込まれる。
【０１５３】
（作業例）
次に、実施の形態におけるデータ入力システムを用いて入力されたデータの用途例を説明する。図１３は、作業工程の一例を示す図である。ここでは、製品を乗せたコンテナが各工程を回る例を示す。工程毎にＲＦＩＤリーダーライター４００、４０１が設置されている。
【０１５４】
例えば、作業者「ＸＸＸ」さんは、工程「Ａ−１」で作業を行い、作業が終了すると、被記録媒体１に筆記装置３００を用いて署名をし、次の工程へコンテナを移動させる。
【０１５５】
作業者「ＺＺＺ」さんは、工程「Ａ−２」で作業を行い、作業が終了すると、別の被記録媒体１に筆記装置３００を用いて署名をし、次の工程へコンテナを移動させる。この場合、各ＲＦＩＤリーダーライターで、被記録媒体のＲＦＩＤタグを読み取れば、どの作業を誰が担当したかを迅速に把握できるようになる。
【０１５６】
例えば、各作業を開始する際、エラー検査機が、所定の工程での作業をエラーであると示した場合、その工程に対応するＲＦＩＤタグの固有ＩＤに関連付けられた電子データをＲＦＩＤリーダーライターが読み取る。読み取られた電子データは、表示部などに表示されたり、音声出力されたりすることで、人が被記録媒体の書名欄を確認しなくても、エラー作業を行った作業者を容易に把握することができるようになる。
【０１５７】
＜動作＞
次に、実施の形態における情報管理システムの動作について説明する。以下、ＲＦＩＤの準備処理例、筆記装置の処理例、情報処理装置のデータ管理処理例、情報処理装置のメール処理例を順に示す。
【０１５８】
（ＲＦＩＤタグの準備処理）
図１４は、ＲＦＩＤタグの準備処理の一例を示すフローチャートである。図１４に示すステップＳ１０１で、ＲＦＩＤタグ５０は、固有のナンバーをナンバリングされ、そのナンバーを固有ＩＤとして記憶する。
【０１５９】
ステップＳ１０２で、情報処理装置１００は、ＲＦＩＤタグ５０にセット（記憶）された固有ＩＤを、作業工程等と関連付けて管理する。
【０１６０】
これにより、情報処理装置１００は、被記録媒体１に含まれるＲＦＩＤタグ５０の固有ＩＤを管理することができる。
【０１６１】
（筆記装置の処理）
図１５は、筆記装置３００の処理の一例を示すフローチャートである。図１５に示すステップＳ２０１で、読取部３０１は、所定のパターン６０上に筆記された筆記データを検出したか否かを判定する。読取部３０１は、筆記データを検出した場合、筆記データの画像データを取得する。読取部３０１により、筆記データの検出がなければステップＳ２０１に戻る。読取部３０１は、筆記データの画像データを取得した場合、ステップＳ２０２に進む。
【０１６２】
ステップＳ２０２で、データ記録部３０４は、読取部３０１により生成された筆記データの電子データを保存する。
【０１６３】
ステップＳ２０３で、データ処理部３０８は、クリアスイッチ３０７がＯＮになったか否かを判定する。データ処理部３０８は、クリアスイッチ３０７から押下信号を取得した時にクリアスイッチ３０７がＯＮになったと判断できる。クリアスイッチ３０７がＯＮであれば（ステップＳ２０３−ＹＥＳ）、ステップＳ２０１に戻り、クリアスイッチ３０７がＯＦＦであれば（ステップＳ２０３−ＮＯ）、ステップＳ２０４に進む。
【０１６４】
ステップＳ２０４で、データ処理部３０８は、転送スイッチ３０６がＯＮになったか否かを判定する。データ処理部３０８は、転送スイッチ３０６から押下信号を取得した時に転送スイッチ３０６がＯＮになったと判断できる。転送スイッチ３０６がＯＦＦであればステップＳ２０３に戻り、その間にクリアスイッチがＯＮになったかを判定する。転送スイッチがＯＮになれば（ステップＳ２０４−ＹＥＳ）ステップＳ２０５に進む。
【０１６５】
ステップＳ２０５で、ＲＦＩＤリーダーライター３０２は、ＲＦＩＤタグ５０に電子データを書き込む。
【０１６６】
これにより、筆記装置３００は、ＲＦＩＤタグ５０の固有ＩＤと、筆記データ（手書きの署名）の電子データとを、ＲＦＩＤタグ５０を用いて関連付けることができる。なお、ステップＳ２０３の処理は、必ずしも必要な処理ではない。
【０１６７】
（字消装置の処理）
図１６は、字消装置６００の処理の一例を示すフローチャートである。図１６に示すステップＳ３０１で、データ処理部６０８は、字消部６１０による筆記データの消去が開始された場合、スイッチ６０３がＯＮになったか否かを判定する。スイッチ６０３がＯＮであれば（ステップＳ３０１−ＹＥＳ）、ステップＳ３０２に進み、スイッチ６０３がＯＦＦであれば（ステップＳ３０１−ＮＯ）、処理を終了する。データ処理部６０８は、スイッチ６０３がＯＮになったことを認識部６０１に通知する。
【０１６８】
ステップＳ３０２で、認識部６０１は、スイッチ６０３がＯＮになったことを通知されると、所定のパターン６０上に筆記された筆記データが消去されているか否かを判定する。認識部６０１は、所定のパターン６０を読み取ったときに、所定のパターン６０上で消去が行われていると判定する。
【０１６９】
認識部６０１は、所定のパターン６０上で消去が行われていると判定した場合（ステップＳ３０２−ＹＥＳ）、ステップＳ３０３に進み、所定のパターン６０上で消去が行われていないと判定した場合（ステップＳ３０２−ＮＯ）処理を終了する。
【０１７０】
ステップＳ３０３で、ＲＦＩＤリーダーライター６０２は、ＲＦＩＤタグ５０と通信可能か否かを判定する。ＲＦＩＤタグ５０と通信可能と判定された場合（ステップＳ３０３−ＹＥＳ）、ステップＳ３０４に進み、ＲＦＩＤタグ５０と通信可能ではないと判定された場合（ステップＳ３０３−ＮＯ）、処理を終了する。
【０１７１】
ステップＳ３０４で、ＲＦＩＤリーダーライター６０２は、ＲＦＩＤタグ５０の固有ＩＤを読み取り、字消装置６００のデータ記録部６０４に記録する。
【０１７２】
ステップＳ３０５で、データ処理部６０８は、スイッチ６０３がＯＦＦになったか否かを判定する。データ処理部６０８は、スイッチ６０３から押下信号を長期間取得しなくなった場合に、スイッチ６０３がＯＦＦになったと判断できる。スイッチ６０３がＯＮであれば（ステップＳ３０５−ＮＯ）、ステップＳ３０５に戻り、スイッチ６０３がＯＦＦであれば（ステップＳ３０５−ＹＥＳ）、ステップＳ３０６に進む。
【０１７３】
ステップＳ３０６で、ＲＦＩＤリーダーライター６０２は、ＲＦＩＤタグ５０の手書きデータ領域に記憶される電子データを消去する。
【０１７４】
これにより、字消装置６００は、ＲＦＩＤタグ５０の固有ＩＤと関連付けられた電子データを、筆記データ（手書きの署名）の消去とあわせて消去することができる。
【０１７５】
また、ステップＳ３０７で、データ転送部６０５は、データ記録部６０４に記録されていた固有ＩＤにクリアデータを付加して情報処理装置１００に送信する。
【０１７６】
これにより、情報処理装置１００は、クリアデータと共に取得した固有ＩＤに対応する電子データを消去することができる。
【０１７７】
（情報処理装置の情報管理処理）
図１７は、情報処理装置１００の情報管理処理の一例を示すフローチャートである。図１７に示すステップＳ４０１で、通信手段１１１は、筆記装置３００又は字消装置６００から電子データを受信したか否かを判定する。電子データが受信されれば（ステップＳ４０１−ＹＥＳ）ステップＳ４０２に進み、電子データが受信されなければ（ステップＳ４０１−ＮＯ）ステップＳ４０１に戻る。
【０１７８】
ステップＳ４０２で、管理手段１１３は、電子データの先頭から決められたバイト数分を読み込む。
【０１７９】
ステップＳ４０３で、管理手段１１３は、自身が管理している固有ＩＤから、受信した固有ＩＤの文字データと一致するものをサーチする。
【０１８０】
ステップＳ４０４で、管理手段１１３は、一致した固有ＩＤがあるか否かを判定する。一致した固有ＩＤがあれば（ステップＳ４０４−ＹＥＳ）ステップＳ４０５に進み、一致した固有ＩＤがなければ（ステップＳ４０４−ＮＯ）ステップＳ４０６に進む。
【０１８１】
ステップＳ４０５で、管理手段１１３は、一致した固有ＩＤに関連付けて、作業者名の電子データ（例えば、画像データ）、またはクリアデータを保存する。
【０１８２】
ステップＳ４０６で、管理手段１１３は、エラー処理を行う。エラー処理は、エラー通知を筆記装置３００に送信し、筆記装置３００は、例えば、ＬＥＤを点灯又は点滅させたり、バイブレーションで振動させたりしてユーザにエラーの旨を知らせる処理である。
【０１８３】
これにより、情報処理装置１００は、作業者名の電子データが管理されることで作業の終了を管理するとともに、作業者名も管理することもできる。
【０１８４】
（情報処理装置のメール処理）
図１８は、情報処理装置１００のメール処理の一例を示すフローチャートである。図１８に示す処理は、電子データが関連付けられた後（図１７に示すステップＳ４０５の後）に行われる処理である。
【０１８５】
図１８に示すステップＳ５０１で、文字認識手段１１２は、受信された電子データ（画像データ）に対し、文字認識処理（ＯＣＲ処理）を施し、文字データに変換する。ここでは、作業者名が文字データとして得られる。なお、電子データが文字データであれば、ステップＳ５０１は省略される。
【０１８６】
ステップＳ５０２で、メール作成手段１１４は、記憶手段１１５に記憶されるアドレス情報から、文字認識された作業者名と一致するユーザ名があるかをサーチする。
【０１８７】
ステップＳ５０３で、メール作成手段１１４は、一致したユーザ名があるか否かを判定する。一致するユーザ名があれば（ステップＳ５０３−ＹＥＳ）ステップＳ５０４に進み、一致するユーザ名がなければ（ステップＳ５０３−ＮＯ）ステップＳ５０６に進む。
【０１８８】
ステップＳ５０４で、メール作成手段１１４は、一致するユーザ名に対応するメールアドレスをアドレス情報から取得し、そのメールアドレスを宛先にしてメールを作成する。メール本文は、例えば、画像データの関連付けが完了した旨を知らせる文章である。
【０１８９】
ステップＳ５０５で、通信手段１１１は、メール作成手段１１４が作成したメールを送信する。これにより、作業者は、自身の署名の画像データが、情報処理装置１００に無事に管理されたことを知ることができる。
【０１９０】
ステップＳ５０６で、メール作成手段１１４は、エラー処理を行う。エラー処理は、例えば、筆記装置３００にメール送信できなかったことを通知する。筆記装置３００は、メール送信不可を通知されると、ＬＥＤを点灯又は点滅したり、バイブレーション機能を作動したりする。なお、このエラー処理は、画像データの関連付けのエラー処理と異なる処理にすればよい。これにより、作業者は、メール送信できなかったことを知ることができ、情報処理装置１００にメールアドレスを登録すればよいことを知ることができる。
【０１９１】
以上、実施の形態によれば、筆記された情報の消去を行う場合に、筆記された情報と記録された情報との整合性を図ることができる。例えば、被記録媒体１内の記憶媒体５０に記憶された、固有ＩＤに関連付けられたデータを、筆記された情報の消去にあわせて消去することで、情報の整合性を図ることができる。
【０１９２】
また、実施の形態によれば、高解像度での印刷が可能な被記録媒体上に、筆記データを認識可能な所定のパターンを形成することで、所定のパターンの再形成を可能にすることができる。
【０１９３】
また、実施の形態における被記録媒体は、所定のパターン上に手書きで筆記されたとしても、この筆記データを消去することができる。また、実施の形態における被記録媒体は、高解像度が可能なインクジェットプリンタによる印刷が可能であり、例えば、アノトパターンのような微小なドットも形成できるようになる。
【０１９４】
また、実施の形態における被記録媒体は、無線ＩＣチップなどの記憶媒体を有することで、所定パターン上に筆記されたデータの画像データと、記憶媒体に記憶された情報とを関連付けさせることができるようになる。
【０１９５】
なお、実施の形態において、筆記装置３００と字消装置６００は別体として記載されているが、同一の筐体内に備えられてもよい。その場合、ＲＦＩＤリーダーライター、データ転送部、データ記録部、データ処理部は筆記装置と字消装置で共有される。
【０１９６】
また、字消装置６００は、字消部６１０を例えば消しゴムとした場合、字消部６１０を筐体に対して入れ替え可能とする。この場合、字消部６１０以外の構成を消去装置として、字消部６１０の筐体に実装してもよい。
【０１９７】
このように、本発明は、上記実施の形態そのままに限定されるものではなく、実施段階ではその要旨を逸脱しない範囲で構成要素を変形して具体化することができる。また、開示されている複数の構成要素の適宜な組み合わせにより、種々の発明を形成することができる。例えば、実施の形態に示される全構成要素からいくつかの構成要素を削除してもよい。
【符号の説明】
【０１９８】
１  被記録媒体
１０  基質
２０  中間層
３０  受容層
４０  画像形成材料
５０  ＲＦＩＤタグ
６０  所定のパターン
７０  画像
８０  固有ＩＤ
１００  情報処理装置
１１１  通信手段
１１２  文字認識手段
１１３  管理手段
１１４  メール作成手段
１１５  記憶手段
２００  プリンタ
２０１  ＲＦＩＤリーダーライター
３００  筆記装置
３０１  読取部
３０２  ＲＦＩＤリーダーライター
３０３  ペンダウン検出部
３０４  データ記録部
３０５  データ転送部
３０６  転送スイッチ
３０７  クリアスイッチ
３０８  データ処理部
３１０  筆記部
６０１  認識部
６０２  ＲＦＩＤリーダーライター
６０３  スイッチ
６０４  データ記憶部
６０５  データ転送部
６０８  データ処理部
６１０  字消部
【先行技術文献】
【特許文献】
【０１９９】
【特許文献１】特開２００７−２７９８８９号公報
【特許文献２】特開２００２−２７８６９２号公報
【特許文献３】特開２００６−９９５５９号公報
【特許文献４】特開２００２−８２７６４号公報
【図２】
0005817444.tif 000002
【図３】
0005817444.tif 000003
【図４】
0005817444.tif 000004
【図５】
0005817444.tif 000005
【図６】
0005817444.tif 000006
【図７】
0005817444.tif 000007
【図８】
0005817444.tif 000008
【図９】
0005817444.tif 000009
【図１０】
0005817444.tif 000010
【図１１】
0005817444.tif 000011
【図１２】
0005817444.tif 000012
【図１３】
0005817444.tif 000013
【図１４】
0005817444.tif 000014
【図１５】
0005817444.tif 000015
【図１６】
0005817444.tif 000016
【図１７】
0005817444.tif 000017
【図１８】
0005817444.tif 000018
【図１】
0005817444.tif 000019